(57)【要約】【課題】  防水ハウジングを着底させた状態でも収納された電子機器の画像表示装置の表示を容易に視認できる防水ハウジングを提供すること。【解決手段】  電子機器７を水密に維持する防水ハウジング１において、前記電子機器７の画像表示装置１３の表面に対面する前記防水ハウジング１の観察窓１５が、前記画像表示装置１３の表面に対して傾斜して形成されている防水ハウジング１。【選択図】  図１
2007071990.tif 000002
【特許請求の範囲】
【請求項１】
電子機器を水密に維持する防水ハウジングにおいて、
前記電子機器の画像表示装置の表面に対面する前記防水ハウジングの観察窓が、前記画像表示装置の表面に対して傾斜して形成されていることを特徴とする防水ハウジング。
【請求項２】
前記画像表示装置からの光の前記観察窓への入射角度θは、
０ ＜ θ ＜ 全反射角度
であることを特徴とする請求項１に記載の防水ハウジング。
【請求項３】
前記画像表示装置の表面と前記観察窓との間に、プリズムを配置したことを特徴とする請求項１又は２に記載の防水ハウジング。
【請求項４】
前記観察窓の近傍に前記プリズムを支持するプリズム支持手段を有し、
前記プリズム支持手段は、前記防水ハウジングに着脱可能に形成されていることを特徴とする請求項３に記載の防水ハウジング。
【請求項５】
前記観察窓の近傍に前記プリズムを支持するプリズム支持手段を有し、
前記プリズムは、前記プリズム支持手段に着脱可能であることを特徴とする請求項３に記載の防水ハウジング。
【発明の詳細な説明】
【技術分野】
【０００１】
本発明は、デジタルカメラ等の電子機器を水密に維持する防水ハウジングに関する。
【背景技術】
【０００２】
デジタルカメラ等の電子機器を水中で使用する際に、デジタルカメラを水没から防ぐ水密構造の防水ハウジングが知られている（例えば、特許文献１参照）。
【特許文献１】特開平１１−１０９４７２号公報
【発明の開示】
【発明が解決しようとする課題】
【０００３】
従来の防水ハウジングでは、デジタルカメラに搭載され、カメラの情報や撮影画像を表示する画像表示装置を目視する際の観察窓が、画像表示装置の表示面に略平行に配置されているため、防水ハウジングを着底させた状態では、従来の防水ハウジングでは画像表示装置の表示を視認することが困難となり、被写体の正確なフレーミングができないという問題がある。
【０００４】
本発明は、上記課題に鑑みてなされたものであり、防水ハウジングを着底させた状態でも収納されている電子機器の画像表示装置の表示を容易に視認できる防水ハウジングを提供することを目的としている。
【課題を解決するための手段】
【０００５】
上記課題を解決するために、本発明は、電子機器を水密に維持する防水ハウジングにおいて、前記電子機器の画像表示装置の表面に対面する前記防水ハウジングの観察窓が、前記画像表示装置の表面に対して傾斜して形成されていることを特徴とする防水ハウジングを提供する。
【０００６】
また、本発明に係る防水ハウジングでは、前記画像表示装置からの光の前記観察窓への入射角度θは、
０ ＜ θ ＜ 全反射角度
であることが好ましい。
【０００７】
また、本発明に係る防水ハウジングは、前記画像表示装置の表面と前記観察窓との間に、プリズムを配置することが好ましい。
【０００８】
また、本発明に係る防水ハウジングは、前記観察窓の近傍に前記プリズムを支持するプリズム支持手段を有し、前記プリズム支持手段は、前記防水ハウジングに着脱可能に形成されていることが好ましい。
【０００９】
また、本発明に係る防水ハウジングは、前記観察窓の近傍に前記プリズムを支持するプリズム支持手段を有し、
前記プリズムは、前記プリズム支持手段に着脱可能であることが好ましい。
【発明の効果】
【００１０】
本発明によれば、防水ハウジングを着底させた状態でも収納されている電子機器の画像表示装置の表示を容易に視認できる防水ハウジングを提供することができる。
【発明を実施するための最良の形態】
【００１１】
以下、本発明の実施の形態について図面を参照しつつ説明する。
【００１２】
（第１実施の形態）
図１は、本発明の第１実施の形態に係る防水ハウジングにデジタルカメラを収納した状態の断面図を示す。
【００１３】
図１において、防水ハウジング１は、前ハウジング３と後ハウジング５から構成され、デジタルカメラ７を収納後、不図示のバックル等で前ハウジング３と後ハウジング５を閉じ、前ハウジング３と後ハウジング５の開口部６を不図示のＯリング等を介して水密に維持するように構成されている。
【００１４】
前ハウジング３には、デジタルカメラ７の撮影レンズ９を収容する鏡筒部１１が設けられている。鏡筒部１１は、ズーミングの際に撮影レンズ９がデジタルカメラ７の前方に突出可能であるように空間を有している。
【００１５】
撮影レンズ９に対向するデジタルカメラ７の後側には、デジタルカメラ７の情報、フレーミング時の被写体像、或いは撮影後の画像を表示する画像表示装置１３が配設されている。
【００１６】
画像表示装置１３の表示面に対面する後ハウジング５の観察窓１５は、画像表示装置１３の表面に対して所定の傾斜角で形成されている。画像表示装置１３の表示面からの光の観察窓１５への入射角をθとすると、図示する三角形の角度の関係から、傾斜角は入射角θと等しくなる。このようにして第１実施の形態の防水ハウジング１が構成されている。
【００１７】
本第１実施の形態の防水ハウジング１では、観察窓１５に入射角θで入射した光は、防水ハウジング１内の空気の屈折率ｎ０＝１．０と水の屈折率ｎ１＝１．３３３との差によって屈折角θ’で屈折されて、観察者１７によって観察される。この時、画像表示装置１３からの光の光軸（図中の水平軸）となす角θviewは、θview＝θ−θ’となり、θviewの角度を持って出射されるため、観察者１７は防水ハウジング１の上方θviewの位置から画像表示装置１３に表示された画像を視認可能になる。
【００１８】
例えば、入射角＝傾斜角θ＝４５度の場合、
θ’＝ａｒｃｓｉｎ（ｓｉｎ４５／１．３３３）≒３２（度）
θview＝θ−θ’＝４５−３２≒１３（度）
となる。
【００１９】
よって観察者１７は水平から略１３度の角度で画像表示装置１３の表示像を視認することが可能になる。この結果、防水ハウジング１が着底した状態でも被写体のフレーミング等を容易に確認することが可能になる。
【００２０】
また、観察窓の傾斜角θ（＝入射角）は、０ ＜ θ ＜ 全反射角度、に設定することが望ましい。θの下限値を超えるとθviewがほぼ零となり、観察者が防水ハウジング１の上方から画像表示装置１３の表示を視認できなくなる。また、θの上限値を超えると、画像表示装置１３からの光が観察者１７に到達しなくなる。水平から角度θviewは、傾斜角θが大きくなるほど大きくなるので、傾斜角θは全反射角度の近傍に設定することが好ましい。なお、本発明の効果を確実にするためにθの下限値は１５度が好ましい。また、本発明の効果を確実にするためにθの上限値は、全反射角度より３度小さい角度が好ましい。また、本発明の効果をより確実にするためにθの上限値は、全反射角度より５度小さい角度が好ましい。
【００２１】
（第２実施の形態）
図２は、本発明の第２実施の形態に係る防水ハウジングにデジタルカメラを収納した状態の断面図を示す。第１実施の形態と同様の構成には同じ符号を付して説明する。
【００２２】
図２において、防水ハウジング５１は、前ハウジング３と後ハウジング５５から構成され、デジタルカメラ７を収納後、不図示のバックル等で前ハウジング３と後ハウジング５５を閉じ、前ハウジング３と後ハウジング５５の開口部６を不図示のＯリング等を介して水密に維持するように構成されている。
【００２３】
前ハウジング３には、デジタルカメラ７の撮影レンズ９を収容する鏡筒部１１が設けられている。鏡筒部１１は、ズーミングの際に撮影レンズ９がデジタルカメラ７の前方に突出可能であるように空間を有している。
【００２４】
撮影レンズ９と対向するデジタルカメラ７の後側には、デジタルカメラ７の情報、フレーミング時の被写体像、或いは撮影後の画像を表示する画像表示装置１３が配設されている。
【００２５】
画像表示装置１３の表示面に対面する後ハウジング５５の観察窓１５は、画像表示装置１３の表面に対して所定の傾斜角θで形成されている。画像表示装置１３と観察窓１５の間の空間には、三角プリズム１９が配設されている。防水ハウジング５１は、画像表示装置１３と観察窓１５の間の空間に三角プリズム１９の入射面１９ａを画像表示装置１３の表面に対して傾斜角度θ１（これは、画像表示装置１３からの光の入射角に等しい）の位置に保持する保持部材２１を有している。保持部材２１は、三角プリズム１９の底辺１９ｂを保持する保持部２１ａと頂角（θｐ）部分１９ｃを保持する保持部２１ｂを有している。保持部２１ｂは、頂角部分１９ｃの固定位置を変えることが可能であり、固定位置を変更することで、画像表示装置１３からの光の入射角θ１を変えることができるように構成されている。この保持部材２１は防水ハウジング５１に着脱可能に形成されており、三角プリズム１９を使用しない場合には取り外して保管できる構成である。また、保持部材２１は、三角プリズム１９を種々の形状（頂角θｐの角度が異なる）のものに交換可能に構成されている。
【００２６】
保持部材２１とデジタルカメラ７の背面との間にゴムやばねなどの弾性部材２３、２３が配設され、後ハウジング５５を閉じた時に、保持部材２１がデジタルカメラ７と後ハウジング５５とで固定されるように弾性部材２３、２３で押圧される。弾性部材２３、２３は保持部材２１と一体化されており、保持部材２１と供に防水ハウジング５１から着脱される。このようにして、第２実施の形態に係る防水ハウジング５１が構成されている。
【００２７】
本第２実施の形態の防水ハウジング５１では、例えば、三角プリズム１９の頂角θｐ＝１０度、画像表示装置１３からの光の入射角θ１（＝傾斜角）＝１０度、観察窓の傾斜角度θ＝４５度、三角プリズム１９の屈折率ｎｐ＝１．７、水の屈折率１．３３３、空気の屈折率ｎ０＝１．０とするとき、画像表示装置１３からの光は、水平とのなす角θview≒１８．３度となる。
【００２８】
この値は、三角プリズム１９が設けられていない第１実施の形態の防水ハウジング１よりも約５度大きい値が得られ、観察者１７はより角度のある位置から画像表示装置１３の表示を視認することができる。このように、画像表示装置１３と観察窓１５との間に三角プリズム１９を設けることによって、より大きなθviewを得ることができる。
【００２９】
なお、三角プリズム１９を頂角θｐの異なるものに交換することで、θviewを観察者が選択することができる。また、観察窓１５の傾斜角度θは、防水ハウジング５１を製造する時に、上述の４５度によらず色々な値のものを製造することができ、観察窓１５の傾斜角度θと三角プリズム１９の頂角θｐを設計により適宜選択することができる。また、防水ハウジング５１内にプリズム１９を保持する保持部材２１を一体的に設け、プリズム１９を着脱可能にしても良い。
【００３０】
本発明によれば、防水ハウジングの観察窓近傍にレンズやミラーなどを付加することなく、防水ハウジングを着底した時でも画像表示装置の表示画面を容易に観察できる防水ハウジングを得ることができる。
【００３１】
なお、上述の実施の形態は例に過ぎず、上述の構成や形状に限定されるものではなく、本発明の範囲内において適宜修正、変更が可能である。
【図面の簡単な説明】
【００３２】
【図１】本発明の第１実施の形態に係る防水ハウジングにデジタルカメラを収納した状態の断面図を示す。
【図２】本発明の第２実施の形態に係る防水ハウジングにデジタルカメラを収納した状態の断面図を示す。
【符号の説明】
【００３３】
１、５１    防水ハウジング
３          前ハウジング
５、５５    後ハウジング
６          開口部
７          デジタルカメラ
９          撮影レンズ
１１        鏡筒部
１３        画像表示装置
１５        観察窓
１７        観察者
１９        三角プリズム
２１        保持部材
２３        弾性部材
【図１】
2007071990.tif 000003
【図２】
2007071990.tif 000004